【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
端末であって、
前記端末のバッファにおけるデータ量区間を示す第一テーブルと、
前記端末の前記バッファにおけるデータ量区間を示し、前記第一テーブルの最大データ量よりも大きい最大データ量を有する少なくとも一つの第二テーブルと、
前記第一テーブル及び前記少なくとも一つの第二テーブルのうちから一つのテーブルを選択するテーブル選択ユニットと、
前記端末の前記バッファにおけるデータ量に基づいて、前記テーブル選択ユニットにより選択及び通知された前記一つのテーブルからインデックスを確定するインデックス確定ユニットと、
前記インデックス確定ユニットにより通知された前記インデックスを基地局に送信するインデックス送信ユニットと、
を含み、
前記インデックスは、前記端末の前記バッファにおけるデータ量を示すバッファサイズであって、前記第一テーブル及び前記少なくとも一つの第二テーブルから選択されたバッファサイズを示す、端末。
【請求項２】
請求項１に記載の端末であって、
前記第一テーブルにより示されるデータ量区間と、前記少なくとも一つの第二テーブルにより示されるデータ量区間とは、包含関係を有する、端末。
【請求項３】
請求項２に記載の端末であって、
前記第一テーブルにより示されるデータ量区間と、前記少なくとも一つの第二テーブルにより示されるデータ量区間とは、継続関係を有する、端末。
【請求項４】
端末であって、
前記端末のバッファにおけるデータ量区間を示す第一テーブルと、
前記端末の前記バッファにおけるデータ量区間を示し、前記第一テーブルの最大データ量よりも大きい最大データ量を有する少なくとも一つの第二テーブルと、
基地局から受信したＲＲＣコネクション設定シグナリングにおける指示により通知された選択結果に基づいて、前記第一テーブル及び前記少なくとも一つの第二テーブルのうちから一つのテーブルを選択するテーブル選択ユニットと、
前記端末の前記バッファにおけるデータ量に基づいて、前記テーブル選択ユニットにより選択及び通知された前記一つのテーブルからインデックスを確定するインデックス確定ユニットと、
前記インデックス確定ユニットにより通知された前記インデックスを前記基地局に送信するインデックス送信ユニットと、
を含み、
前記指示により通知された前記基地局の前記選択結果は、前記端末の能力によるものである、端末。
【請求項５】
端末のバッファ状態を報告する方法であって、
前記端末は、
前記端末のバッファにおけるデータ量区間を示す第一テーブルと、
前記端末の前記バッファにおけるデータ量区間を示し、前記第一テーブルの最大データ量よりも大きい最大データ量を有する少なくとも一つの第二テーブルと、
を含み、
前記方法は、
前記第一テーブル及び前記少なくとも一つの第二テーブルのうちから一つのテーブルを選択するテーブル選択ステップと、
前記端末の前記バッファにおけるデータ量に基づいて、前記テーブル選択ステップにより選択及び通知された前記一つのテーブルからインデックスを確定するインデックス確定ステップと、
前記インデックス確定ステップにより通知された前記インデックスを基地局に送信するインデックス送信ステップと、
を含み、
前記インデックスは、前記端末の前記バッファにおけるデータ量を示すバッファサイズであって、前記第一テーブル及び前記少なくとも一つの第二テーブルから選択されたバッファサイズを示す、方法。
【請求項６】
端末のバッファ状態を報告する方法であって、
前記端末は、
前記端末のバッファにおけるデータ量区間を示す第一テーブルと、
前記端末の前記バッファにおけるデータ量区間を示し、前記第一テーブルの最大データ量よりも大きい最大データ量を有する少なくとも一つの第二テーブルと、
を含み、
前記方法は、
基地局から受信したＲＲＣコネクション設定シグナリングにおける指示により通知された選択結果に基づいて、前記第一テーブル及び前記少なくとも一つの第二テーブルのうちから一つのテーブルを選択するテーブル選択ステップと、
前記端末の前記バッファにおけるデータ量に基づいて、前記テーブル選択ステップにより選択及び通知された前記一つのテーブルからインデックスを確定するインデックス確定ステップと、
前記インデックス確定ステップにより通知された前記インデックスを前記基地局に送信するインデックス送信ステップと、
を含み、
前記指示により通知された前記基地局の前記選択結果は、前記端末の能力によるものである、方法。
【請求項７】
基地局であって、
端末のバッファにおけるデータ量区間を示す第一テーブルと、
前記端末の前記バッファにおけるデータ量区間を示し、前記第一テーブルの最大データ量よりも大きい最大データ量を有する少なくとも一つの第二テーブルと、
前記第一テーブル及び前記少なくとも一つの第二テーブルのうちから一つのテーブルを選択するテーブル選択ユニットと、
前記端末からインデックスを受信するインデックス受信ユニットと、
前記インデックスに基づいて、前記テーブル選択ユニットにより選択された前記一つのステーブルから、前記端末の前記バッファにおけるデータ量を確定するデータ量確定ユニットと、
を含み、
前記インデックスは、前記端末の前記バッファにおけるデータ量を示すバッファサイズであって、前記第一テーブル及び前記少なくとも一つの第二テーブルから選択されたバッファサイズを示す、基地局。
【請求項８】
請求項７に記載の基地局であって、
前記第一テーブルにより示されるデータ量区間と、前記少なくとも一つの第二テーブルにより示されるデータ量区間とは、包含関係を含む、基地局。
【請求項９】
請求項８に記載の基地局であって、
前記第一テーブルにより示されるデータ量区間と、前記少なくとも一つの第二テーブルにより示されるデータ量区間とは、継続関係を有する、基地局。
【請求項１０】
基地局であって、
端末のバッファにおけるデータ量区間を示す第一テーブルと、
前記端末の前記バッファにおけるデータ量区間を示し、前記第一テーブルの最大データ量よりも大きい最大データ量を有する少なくとも一つの第二テーブルと、
前記端末の能力に基づいて、前記第一テーブル及び前記少なくとも一つの第二テーブルのうちから一つのテーブルを選択し、選択結果を前記端末に通知するようＲＲＣコネクション設定シグナリングにおいて指示を前記端末に送信するテーブル選択ユニットと、
前記端末からインデックスを受信するインデックス受信ユニットと、
前記インデックスに基づいて、前記テーブル選択ユニットにより選択された前記一つのステーブルから、前記端末の前記バッファにおけるデータ量を確定するデータ量確定ユニットと、
を含む、基地局。
【請求項１１】
基地局にてバッファ状態報告を取得する方法であって、
前記基地局は、
端末のバッファにおけるデータ量区間を示す第一テーブルと、
前記端末の前記バッファにおけるデータ量区間を示し、前記第一テーブルの最大データ量よりも大きい最大データ量を有する少なくとも一つの第二テーブルと、
を含み、
前記方法は、
前記第一テーブル及び前記少なくとも一つの第二テーブルのうちから一つのテーブルを選択するテーブル選択ステップと、
前記端末からインデックスを受信するインデックス受信ステップと、
前記インデックスに基づいて、前記テーブル選択ステップにより選択された前記一つのテーブルから、前記端末の前記バッファにおけるデータ量を確定するデータ量確定ステップと、
を含み、
前記インデックスは、前記端末の前記バッファにおけるデータ量を示すバッファサイズであって、前記第一テーブル及び前記少なくとも一つの第二テーブルから選択されたバッファサイズを示す、方法。
【請求項１２】
基地局にてバッファ状態報告を取得する方法であって、
前記基地局は、
端末のバッファにおけるデータ量区間を示す第一テーブルと、
前記端末の前記バッファにおけるデータ量区間を示し、前記第一テーブルの最大データ量よりも大きい最大データ量を有する少なくとも一つの第二テーブルと、
を含み、
前記方法は、
前記端末の能力に基づいて、前記第一テーブル及び前記少なくとも一つの第二テーブルのうちから一つのテーブルを選択し、選択結果を前記端末に通知するようＲＲＣコネクション設定シグナリングにおいて指示を前記端末に送信するテーブル選択ステップと、
前記端末からインデックスを受信するインデックス受信ステップと、
前記インデックスに基づいて、前記テーブル選択ステップにより選択された前記一つのステーブルから、前記端末の前記バッファにおけるデータ量を確定するデータ量確定ステップと、
を含む、方法。
【請求項１３】
通信システムであって、
端末及び基地局を含み、
前記端末は、
前記端末のバッファにおけるデータ量区間を示す第一テーブルと、
前記端末の前記バッファにおけるデータ量区間を示し、前記第一テーブルの最大データ量よりも大きい最大データ量を有する少なくとも一つの第二テーブルと、
前記第一テーブル及び前記少なくとも一つの第二テーブルのうちから一つのテーブルを選択するテーブル選択ユニットと、
前記端末の前記バッファにおけるデータ量に基づいて、前記テーブル選択ユニットにより選択及び通知された前記一つのテーブルからインデックスを確定するインデックス確定ユニットと、
前記インデックス確定ユニットにより通知された前記インデックスを前記基地局に送信するインデックス送信ユニットと、
を含み、
前記インデックスは、前記端末の前記バッファにおけるデータ量を示すバッファサイズであって、前記第一テーブル及び前記少なくとも一つの第二テーブルから選択されたバッファサイズを示し、
前記基地局は、
前記第一テーブル及び前記少なくとも一つの第二テーブルのうちから前記一つのテーブルを選択するテーブル選択ユニットと、
前記端末から前記インデックスを受信するインデックス受信ユニットと、
前記インデックスに基づいて、前記端末の前記バッファにおけるデータ量を確定するデータ量確定ユニットと、
を含む、通信システム。
【請求項１４】
通信システムであって、
端末及び基地局を含み、
前記端末は、
前記端末のバッファにおけるデータ量区間を示す第一テーブルと、
前記端末の前記バッファにおけるデータ量区間を示し、前記第一テーブルの最大データ量よりも大きい最大データ量を有する少なくとも一つの第二テーブルと、
前記基地局から受信したＲＲＣコネクション設定シグナリングにおける指示により通知された選択結果に基づいて、前記第一テーブル及び前記少なくとも一つの第二テーブルのうちから一つのテーブルを選択するテーブル選択ユニットと、
前記端末の前記バッファにおけるデータ量に基づいて、前記テーブル選択ユニットにより選択及び通知された前記一つのテーブルからインデックスを確定するインデックス確定ユニットと、
前記インデックス確定ユニットにより通知された前記インデックスを前記基地局に送信するインデックス送信ユニットと、
を含み、
前記基地局は、
前記端末の能力に基づいて、前記第一テーブル及び前記少なくとも一つの第二テーブルのうちから前記一つのテーブルを選択し、前記選択結果を前記端末に通知するよう前記ＲＲＣコネクション設定シグナリングにおいて前記指示を前記端末に送信するテーブル選択ユニットと、
前記端末から前記インデックスを受信するインデックス受信ユニットと、
前記インデックスに基づいて、前記端末の前記バッファにおけるデータ量を確定するデータ量確定ユニットと、
を含む、通信システム。